(57)【要約】【課題】コンセントの差込口が開口する差込面の向きを複数の姿勢に変更可能とすると共に、簡単な操作で差込面の向きを変更することができるコンセントユニットを提供する。【解決手段】差込口を有するコンセントを内部に収容するためのケース部であって、差込口を外部に露出させるための開口部が形成された差込面を有するケース部と、被取付物に固定される固定具を有し、ケース部を着脱自在に装着するベース部と、を備え、ケース部は、ベース部への装着時にベース部に形成されたベース側係合部と係合するケース側係合部を有し、ケース側係合部およびベース側係合部は、差込面の向きを所定の複数の異なる方向から選択される一の方向に向けた状態で係合する。【選択図】図３
2019016606.tif 000002
【特許請求の範囲】
【請求項１】
差込口を有するコンセントを内部に収容するためのケース部であって、前記差込口を外部に露出させるための開口部が形成された差込面を有するケース部と、
被取付物に固定される固定具を有し、前記ケース部を着脱自在に装着するベース部と、
を備え、
前記ケース部は、前記ベース部への装着時に当該ベース部に形成されたベース側係合部と係合するケース側係合部を有し、
前記ケース側係合部および前記ベース側係合部は、前記差込面の向きを所定の複数の異なる方向から選択される一の方向に向けた状態で係合する
コンセントユニット。
【請求項２】
前記ケース側係合部は、前記ベース側係合部が嵌め込まれることで当該ベース側係合部を収容可能な前記ケース部に形成される収容凹部である
請求項１に記載のコンセントユニット。
【請求項３】
前記ケース側係合部は、当該ケース側係合部に前記ベース側係合部が嵌め込まれた際に互いに対向するケース側係合部の面とベース側係合部の面との組み合わせを変更して、前記ベース側係合部を嵌め込むことが可能であり、当該組み合わせが変更されることで前記差込面の向きが変更される
請求項２に記載のコンセントユニット。
【請求項４】
前記ケース側係合部および前記ベース側係合部の一方には、他方に突設された凸条を挿入可能なガイド溝が形成されている
請求項１から３の何れか一項に記載のコンセントユニット。
【請求項５】
前記ケース部を前記ベース部に装着する際に、前記ケース側係合部を前記ベース側係合部に係止する係止手段をさらに備える
請求項１から４の何れか一項に記載のコンセントユニット。
【請求項６】
所定のケーブルを保持するケーブル保持部をさらに備える
請求項１から５の何れか一項に記載のコンセントユニット。
【請求項７】
前記ケース部は、内部に前記コンセントを収容するための収容部を有するケース本体と、前記差込面を有すると共に前記ケース本体に着脱自在なコンセントカバーと、を有し、
前記収容部には、前記コンセントを載置する載置部と、前記コンセント側に形成された被係止部を係止した状態で前記載置部から前記コンセントが離反することを禁止する係止部と、が設けられている、
請求項１から６の何れか一項に記載のコンセントユニット。
【請求項８】
前記被係止部は、前記載置部に載置された前記コンセントをスライドさせた際に前記係止部の下に潜り込むことで前記係止部に係止される、
請求項７に記載のコンセントユニット。
【発明の詳細な説明】
【技術分野】
【０００１】
本発明は、什器等の被取付物に取り付けて使用されるコンセントユニットに関する。
【背景技術】
【０００２】
オフィスにおけるＯＡ化が飛躍的に進展した現在、各デスクにおいてパーソナルコンピュータやその周辺機器に電力を供給するＯＡタップ（以下、単に「タップ」ともいう）が広く普及している。この種のタップには、電子機器の電源プラグを差し込む電源用コンセント（差込口）を複数備えたタイプ、ＬＡＮケーブルやＵＳＢケーブル等の情報信号用ケーブルを接続するための信号用コンセントを複数備えたタイプ、これらの双方を備えたタイプ等がある。
【０００３】
ところで、タップのコンセントに対してプラグを抜き差しする際、タップが不用意に動かないよう、クランプ等の固定具を用いてタップを天板に固定する場合がある。これに関連して、コンセントを収納するコンセント本体と、コンセント本体を取付対象に取り付けるためのベースと、ベースにコンセント本体を結合する結合機構とを備え、この結合機構が、ベースに対するコンセント本体の相対角度を変更可能とするコンセント装置も知られている（例えば、特許文献１を参照）。
【先行技術文献】
【特許文献】
【０００４】
【特許文献１】特開２０１２−５３９９０号公報
【発明の概要】
【発明が解決しようとする課題】
【０００５】
上記のように、コンセント本体を複数の姿勢に変更可能なコンセント装置においては、使用者の作業に都合がよいようにコンセント本体の姿勢を変更することができ、使い勝手が向上する。しかしながら、特許文献１に記載されたコンセント装置においては、ベースに対するコンセント本体の相対角度を変更させてコンセント本体の姿勢を変更しているため、コンセント本体の姿勢を変更する際に手間が掛かるという課題があった。
【０００６】
本発明は、上記の課題に鑑みてなされたものであり、その目的は、コンセントの差込口が開口する差込面の向きを複数の姿勢に変更可能とすると共に、簡単な操作で差込面の向きを変更することができるコンセントユニットを提供することにある。
【課題を解決するための手段】
【０００７】
上記課題を解決するために、本発明に係るコンセントユニットは、差込口を有するコンセントを内部に収容するためのケース部であって、前記差込口を外部に露出させるための開口部が形成された差込面を有するケース部と、被取付物に固定される固定具を有し、前記ケース部を着脱自在に装着するベース部と、を備え、前記ケース部は、前記ベース部への装着時に当該ベース部に形成されたベース側係合部と係合するケース側係合部を有し、前記ケース側係合部および前記ベース側係合部は、前記差込面の向きを所定の複数の異なる方向から選択される一の方向に向けた状態で係合することを特徴とする。コンセントユニットを上記のように構成することで、ケース部の差込面の向きを簡単に変更することができる。
【０００８】
本発明に係るコンセントユニットにおいて、前記ケース側係合部は、前記ベース側係合部が嵌め込まれることで当該ベース側係合部を収容可能な前記ケース部に形成される収容
凹部であってもよい。このように、ケース側係合部に形成される収容凹部にベース側係合部を嵌め込み、収容凹部内にベース側係合部を収容することで、ケース部をベース部に装着した状態でこれらの連結部が外部に露出することを抑制できる。これにより、コンセントユニットが見た目に美しく、また、コンセントユニットの使用時にケース部とベース部との連結部を破損しにくくすることができる。
【０００９】
また、本発明に係るコンセントユニットにおいて、前記ケース側係合部は、当該ケース側係合部に前記ベース側係合部が嵌め込まれた際に互いに対向するケース側係合部の面とベース側係合部の面との組み合わせを変更して、前記ベース側係合部を嵌め込むことが可能であり、当該組み合わせが変更されることで前記差込面の向きが変更されてもよい。このように構成することで、ケース部における差込面の向きをより一段と簡単に変更することができる。
【００１０】
また、本発明に係るコンセントユニットにおいて、前記ケース側係合部および前記ベース側係合部の一方には、他方に突設された凸条を挿入可能なガイド溝が形成されていてもよい。上記構成によれば、ガイド溝への凸条の挿入操作を行うだけでケース側係合部およびベース側係合部の係合を簡単に行うことができる。そのため、ベース部に対するケース部の装着方法がコンセントユニットの使用者にとって理解し易く、ユーザーフレンドリーなコンセントユニットを提供できる。
【００１１】
また、本発明に係るコンセントユニットは、前記ケース部を前記ベース部に装着する際に、前記ケース側係合部を前記ベース側係合部に係止する係止手段をさらに備えていてもよい。これによれば、コンセントユニットの使用時において、不用意にベース部からケース部が外れたり、姿勢が不安定になることを抑制できる。
【００１２】
また、本発明に係るコンセントユニットは、所定のケーブルを保持するケーブル保持部をさらに備えていてもよい。所定のケーブルとは、例えばＬＡＮケーブルやＵＳＢケーブル等の情報信号用ケーブルであってもよい。このようなケーブルを保持するケーブル保持部を、コンセントを収納するケース部の他に備えることで、さらに使い勝手の優れたコンセントユニットを提供できる。
【００１３】
また、本発明に係るコンセントユニットにおいて、前記ケース部は、内部に前記コンセントを収容するための収容部を有するケース本体と、前記差込面を有すると共に前記ケース本体に着脱自在なコンセントカバーと、を有し、前記収容部には、前記コンセントを載置する載置部と、前記コンセント側に形成された被係止部を係止した状態で前記載置部から前記コンセントが離反することを禁止する係止部と、が設けられていてもよい。このように構成することで、ケース部に対してコンセントの装着や取り替え等を、ねじや工具等を用いることなく簡単に行うことができる。
【００１４】
また、本発明に係るコンセントユニットにおいて、前記被係止部は、前記載置部に載置された前記コンセントをスライドさせた際に前記係止部の下に潜り込むことで前記係止部に係止されてもよい。このような構造とすることで、係止部に対する被係止部の係止およびその解除を簡単に切り換えることができ、使い勝手がよい。
【００１５】
なお、本発明における課題を解決するための手段は、可能な限り組み合わせることができる。
【発明の効果】
【００１６】
本発明によれば、コンセントの差込口が開口する差込面の向きを複数の姿勢に変更可能とすると共に、簡単な操作で差込面の向きを変更することができるコンセントユニットを
提供することができる。
【図面の簡単な説明】
【００１７】
【図１】図１は、実施形態１に係るコンセントユニットをデスクに取り付けた一態様を示す図である。
【図２】図２は、実施形態１に係るコンセントユニットの使用例を示す図である。
【図３】図３は、実施形態１に係るコンセントユニットの概略構成を示す斜視図である。
【図４】図４は、実施形態１に係るコンセントユニットの分解斜視図である。
【図５】図５は、実施形態１に係るコンセントユニットにおけるベース部を示す図である。
【図６】図６は、実施形態１に係るコンセントユニットにおけるケース部を示す図である。
【図７】図７は、実施形態１に係るコンセントユニットにおけるベース部の組み立て手順を示す図である。
【図８】図８は、実施形態１に係るコンセントユニットにおけるベース部を天板に固定した状態を示す図である。
【図９】図９は、実施形態１に係るコンセントユニットにおけるケース部の組み立て手順を示す図である。
【図１０】図１０は、実施形態１に係るコンセントユニットにおけるケース部を縦差し姿勢と横差し姿勢に切り替えるための機構を説明する図である。
【図１１】図１１は、実施形態１に係るコンセントユニットにおけるケース部を縦差し姿勢で装着する手順を示す図である。
【図１２】図１２は、実施形態１に係るコンセントユニットにおけるケース部を横差し姿勢で装着する手順を示す図である。
【図１３】図１３は、実施形態１に係るコンセントユニットのケーブル保持部を説明する図である。
【図１４】図１４は、実施形態２に係るコンセントユニットを説明する図である。
【図１５】図１５は、実施形態３に係るコンセントユニットを説明する図である。
【図１６】図１６は、実施形態４に係るコンセントユニットを説明する図である。
【図１７】図１７は、実施形態５に係るコンセントユニットを説明する図である。
【図１８】図１８は、実施形態６に係るコンセントユニットを説明する図である。
【図１９】図１９は、実施形態７に係るコンセントユニットを説明する図である。
【図２０】図２０は、実施形態８に係るケース部を説明する図である。
【図２１】図２１は、実施形態９に係るコンセントユニットを説明する図である。
【図２２】図２２は、実施形態１０に係るコンセントユニットを説明する図である。
【図２３】図２３は、実施形態１１に係るコンセントユニットを説明する図である。
【図２４】図２４は、実施形態１２に係るコンセントユニットを説明する図である。
【図２５】図２５は、実施形態１３に係るコンセントユニットを説明する図である。
【図２６Ａ】図２６Ａは、変形例１に係るコンセントユニットを説明する図である。
【図２６Ｂ】図２６Ｂは、変形例２に係るコンセントユニットを説明する図である。
【図２６Ｃ】図２６Ｃは、変形例３に係るコンセントユニットを説明する図である。
【図２６Ｄ】図２６Ｄは、変形例４に係るコンセントユニットを説明する図である。
【発明を実施するための形態】
【００１８】
以下、図面を参照して、発明を実施するための実施形態を説明する。
【００１９】
＜実施形態１＞
図１は、実施形態１に係るコンセントユニット１をデスク１００に取り付けた一態様を示す図である。図２は、実施形態１に係るコンセントユニット１の使用例を示す図である
。図３は、実施形態１に係るコンセントユニット１の概略構成を示す斜視図である。図４は、実施形態１に係るコンセントユニット１の分解斜視図である。
【００２０】
図１に示すように、コンセントユニット１は、例えばオフィス内に配置された什器等の被取付物、ここではデスク１００の天板１１０の縁部に取り付けて使用される。コンセントユニット１は、内部にケーブル付きタップのコンセントを備えており、図１に示す例では３口タイプのスイッチ付きマルチコンセントを備えたユニットである。図２（ａ）、（ｂ）は天板１１０の上面にコンセントユニット１を取り付けた使用例を示し、図２（ｃ）、（ｄ）は天板１１０の下面にコンセントユニット１を取り付けた使用例を示している。また、図２（ａ）、（ｃ）は、コンセントの差込口が横向きの「横差し姿勢」としてコンセントユニット１を使用する例を示す。また、図２（ｂ）は、コンセントの差込口が上向きの「上差し姿勢」としてコンセントユニット１を使用する例を示す。また、図２（ｄ）は、コンセントの差込口が下向きの「下差し姿勢」としてコンセントユニット１を使用する例を示す。以上のように、本実施形態に係るコンセントユニット１は、コンセントの差込口の向きを変更して使用することができる。以下、コンセントユニット１の詳細について説明する。
【００２１】
コンセントユニット１は、天板１１０に固定されるベース部２と、このベース部２に着脱自在に装着されるケース部３とを備える。まず、ベース部２の構造、組み立て手順について説明し、次いで、ケース部３の構造、組み立て手順について説明する。図５は、実施形態１に係るコンセントユニット１におけるベース部２を示す図である。図６は、実施形態１に係るコンセントユニット１におけるケース部３を示す図である。図７は、実施形態１に係るコンセントユニット１におけるベース部２の組み立て手順を示す図である。図８は、実施形態１に係るコンセントユニット１におけるベース部２を天板１１０に固定した状態を示す図である。図９は、実施形態１に係るコンセントユニット１におけるケース部３の組み立て手順を示す図である。
【００２２】
ベース部２は、ベース本体２１と、このベース本体２１を天板１１０の縁部（以下、「天板縁部」という）１１０ａに取り付けるためのクランプ２２等を備える。ベース本体２１は、符号２３で示される「ベース側係合部」と、符号２４で示される「脚部」とを有する。脚部２４はベース本体２１の下部構造であり、ベース部２が天板１１０に固定した状態で天板１１０上に載置される。また、ベース側係合部２３は、脚部２４の上に配置される上部構造である。
【００２３】
ベース本体２１は、互いに対向するベース前面２１ａおよびベース後面２１ｂ、これらの端部同士を連結すると共に互いに対向するベース左側面２１ｃ，ベース右側面２１ｄ、ベース底面２１ｅ、およびこのベース底面２１ｅに対向するベース上面２１ｈ等を有する。なお、ベース上面２１ｈは開口面として形成されている。図２等に示すように、ベース本体２１がクランプ２２によって天板１１０に固定された状態で、ベース前面２１ａおよびベース後面２１ｂは天板縁部１１０ａに沿って配置され、ベース左側面２１ｃおよびベース右側面２１ｄは天板縁部１１０ａと直交している。ベース本体２１のベース側係合部２３は、互いに平行配置されるベース前面２１ａおよびベース後面２１ｂと、これらに直交すると共に互いに平行配置されるベース左側面２１ｃおよびベース右側面２１ｄによってその平面形状が画定されている。
【００２４】
本明細書において、ベース左側面２１ｃからベース右側面２１ｄ（又は、ベース右側面２１ｄからベース左側面２１ｃ）に向かう方向をベース本体２１の幅方向として定義し、ベース前面２１ａからベース後面２１ｂ（又は、ベース後面２１ｂからベース前面２１ａ）に向かう方向をベース本体２１の前後方向（奥行方向）として定義する。つまり、ベース本体２１の幅寸法（横幅寸法）とは、ベース左側面２１ｃおよびベース右側面２１ｄの
離間距離を指し、ベース本体２１の奥行寸法とは、ベース前面２１ａおよびベース後面２１ｂの離間距離を指す。本実施形態では、ベース本体２１の奥行寸法に比べて幅寸法の方が大きな寸法に設定されている。また、ベース本体２１は、脚部２４の幅寸法に比べてベース側係合部２３の幅寸法の方が大きく、脚部２４およびベース側係合部２３の間には段差が設けられている。
【００２５】
クランプ２２は、固定用ネジ２２１、略コ字形状を有する挟持板２２２、略平板状の座金板２２３等を有する。挟持板２２２は、固定用ネジ２２１のネジ部を挿通する挿通孔を有する上板部２２２ａ、この上板２２２ａと対向する下板部２２２ｂ、上板２２２ａおよび下板部２２２ｂを連結する連結部２２２ｃからなる。図３、５等に示すように、ベース本体２１の後底部には凹部２１ｆが形成されている。また、ベース本体２１のベース底面２１ｅおよび座金板２２３においても、挟持板２２２の上板２２２ａと同様、固定用ネジ２２１のネジ部を挿通するための挿通孔が穿設されている。
【００２６】
ベース部２を組み立てる際、図７に示すように、ベース本体２１におけるベース底面２１ｅの内側に座金板２２３を配置する。そして、クランプ２２におけるクランプ２２の上板部２２２ａを凹部２１ｆに挿入しつつベース底面２１ｅの外側に添わせた状態で、固定用ネジ２２１のネジ部を座金板２２３、ベース底面２１ｅ、上板部２２２ａの各挿通孔に挿通させる。そして、クランプ２２の挟持板２２２における上板２２２ａおよび下板部２２２ｂの間にデスク１００の天板１１０を挟んだ状態で固定用ネジ２２１を回転させ、締め付けることで、図３、８等に示すようにベース部２を天板１１０に固定することができる。
【００２７】
なお、図８（ａ）、（ｂ）は、天板１１０に固定されたベース部２の斜視図、側面図をそれぞれ示している。上記のように、ベース部２におけるベース本体２１の上面は開口しており、ベース本体２１の内部には、固定用ネジ２２１を締め付ける六角レンチ等の工具や、コンセントユニット１の組み立て手順が記載された説明書等を収納する収納部２１ｇが形成されている。なお、クランプ２２における固定用ネジ２２１は、所謂ローレット付きネジとしてもよく、この場合、工具を使用せずに固定用ネジ２２１を締め付けることができて便利である。本実施形態においては、クランプ２２が本発明に係る固定具に相当する。
【００２８】
次に、ベース本体２１のベース側係合部２３について詳しく説明する。ベース側係合部２３の幅方向における両端、即ちベース左側面２１ｃおよびベース右側面２１ｄのそれぞれには、十字形のガイド溝２５がそれぞれ設けられている。ガイド溝２５は、ベース側係合部２３の高さ方向に沿って形成される横差し用ガイド溝２５１と、この横差し用ガイド溝２５１と直交するようにベース側係合部２３の前後方向（奥行方向）に沿って形成される縦差し用ガイド溝２５２を含んでいる（図３、図８等を参照）。図３、図８においては作図の関係上、ベース本体２１（ベース側係合部２３）のベース右側面２１ｄに設けられているガイド溝２５の一部が図示されていないが、ベース右側面２１ｄにおけるガイド溝２５は、ベース左側面２１ｃにおけるガイド溝２５と同一構造となっている。
【００２９】
ベース本体２１（ベース側係合部２３）のベース左側面２１ｃおよびベース右側面２１ｄに設けられたガイド溝２５のうち、ベース側係合部２３の上下方向に延伸する横差し用ガイド溝２５１は、各側面２１ｃ，２１ｄの上端まで到達することで、ベース側係合部２３の上方に向かって開口している。また、ガイド溝２５のうち、ベース側係合部２３の前後方向（奥行方向）に延伸する縦差し用ガイド溝２５２は、各側面２１ｃ，２１ｄとベース前面２１ａとの境界部まで到達することで、ベース側係合部２３の前方に向かって開口している。また、ガイド溝２５における横差し用ガイド溝２５１および縦差し用ガイド溝２５２の溝幅は互いに等しい。
【００３０】
また、ベース本体２１（ベース側係合部２３）のベース左側面２１ｃおよびベース右側面２１ｄには、半球状の凹部である係止用凹部２６が形成されている。係止用凹部２６は、横差し用ガイド溝２５１および縦差し用ガイド溝２５２の交点とベース側係合部２３の前上角部、即ちベース左側面２１ｃ（ベース右側面２１ｄ）、ベース前面２１ａ、ベース上面２１ｈが交わる頂点部とを結ぶ対角線Ｌ１（図８（ｂ）を参照）上に配置されている。なお、ベース側係合部２３におけるベース左側面２１ｃおよびベース右側面２１ｄは略正方形であり、ベース側係合部２３の水平投影面積（ベース上面２１ｈの投影面積）と垂直投影面積（ベース前面２１ａの投影面積）とが概ね等しくなっている。
【００３１】
次に、コンセントユニット１のケース部３について説明する。ケース部３は、コンセント４１およびケーブル４２を有するケーブル付きタップ４のコンセント４１を内部に収納（収容）するための筐体である。本実施形態におけるコンセント４１は、３つの差込口４１ａ〜４１ｃと、スイッチ４１ｄを有するスイッチ付きマルチ電源用コンセントである。但し、本明細書において「コンセント」との用語は電源用コンセントに限られず、例えばＬＡＮケーブルやＵＳＢケーブル等の情報信号用ケーブルを接続するための情報信号用コンセントをも含む概念である。即ち、コンセント４１は、電源用コンセントと情報信号用コンセントを含んだマルチコンセントであってもよいし、情報信号用コンセントのみを含んでいてもよい。勿論、コンセント４１は、スイッチ４１ｄを有していなくてもよく、また、差込口の数は特定の数に限定されない。
【００３２】
ケース部３は、一面が開口したケース本体３１と、ケース本体３１の開口面を覆うためのコンセントカバー３２を備えている。ケース本体３１の内部には、ケーブル付きタップ４のコンセント４１を収容するための空間であるコンセント収容部３１１が形成されている。ケース本体３１におけるコンセント収容部３１１には、コンセント４１を水平の姿勢で載置するためのコンセント載置部３１２と、コンセント４１側に形成された被係止部４３を係止する係止部３１６が設けられている。コンセント４１における被係止部４３は、コンセント４１における両側部に前後２個ずつ配置されている爪部材である。そして、係止部３１６は、被係止部４３に対応する数だけ配置されており、コンセント４１の被係止部４３が係止部３１６の下に潜り込むことで被係止部４３が係止部３１６に係止される。また、コンセントカバー３２は、差込口４１ａ〜４１ｃやスイッチ４１ｄが外部に露出するように、ケース本体３１の開口面を覆う差込面３２１と、この差込面３２１の周囲に設けられる縁部３２２を有している。コンセントカバー３２の縁部３２２をケース本体３１における開口面の外周に位置する開口縁３１ｂに嵌め込むことで、ケース本体３１にコンセントカバー３２を取り付けることができる。また、コンセントカバー３２の差込面３２１には、ケース本体３１に収容されたコンセント４１の各差込口４１ａ〜４１ｃおよびスイッチ４１ｄを外部に露出させるための４つの開口窓３２３が形成されている。
【００３３】
図４に示したように、ケース本体３１における開口面と反対側に位置する底面には、ケーブル付きタップ４のケーブル４２を挿通するための開口であるケーブル挿通部３１３が形成されている。また、ケース本体３１の側壁３１ａには、ケーブル挿通部３１３に連通する側面切欠き部３１４が形成されている。ケース本体３１の側面切欠き部３１４は、側壁３１ａに着脱自在な側面カバー３１５によって閉塞することができる。
【００３４】
ケース部３の組み立ては、例えば図９に示す手順で行うことができる。即ち、まずケース本体３１のコンセント載置部３１２にケーブル付きタップ４のコンセント４１を、コンセント４１側の被係止部４３とケース本体３１側の係止部３１６の平面的な位置がずれた状態（即ち、被係止部４３および係止部３１６が上下に重なっていない状態）で載置する。そして、次に、コンセント載置部３１２に載置されているコンセント４１をスライドさせ、コンセント４１の被係止部４３を係止部３１６の下に潜り込ませることで、被係止部
４３を係止部３１６に係止させる。この状態で、コンセント載置部３１２からコンセント４１が離反すること、言い換えるとコンセント載置部３１２からコンセント４１が浮き上がることが禁止される。なお、ケース本体３１における係止部３１６は、側壁３１ａの内面に設けられていてもよいし、コンセント載置部３１２に設けられていてもよく、係止部３１６の態様は特に限定されない。また、ケース本体３１における係止部３１６やコンセント４１における被係止部４３の数、形状等は適宜変更することができる。
【００３５】
次に、ケーブル付きタップ４のケーブル４２を、側面切欠き部３１４を経由させ、ケーブル挿通部３１３を通じてケース本体３１（コンセント収容部３１１）の外部に取り出す。そして、ケース本体３１における側面カバー３１５を側壁３１ａに装着することで側面切欠き部３１４を塞いだ後、ケース本体３１にコンセントカバー３２を嵌め込む。これにより、ケース部３の組み立てが完了する。なお、ケース部３のコンセント収容部３１１に収容するコンセント４１を入れ替える際には、上記と逆の手順でコンセント収容部３１１からコンセント４１を取り外し、別のコンセント４１を上記手順でコンセント収容部３１１に装着するとよい。即ち、コンセント４１をコンセント収容部３１１から取り外す場合には、ケース本体３１からコンセントカバー３２および側面カバー３１５を取り外し、コンセント４１の被係止部４３が係止部３１６と上下に重ならない位置までコンセント４１をスライドさせることで、係止部３１６による被係止部４３の係止を解除する。これにより、コンセント載置部３１２からコンセント４１が離反することが許容されるようになり、ケース本体３１からコンセント４１を取り外すことができる。以上のように、本実施形態に係るコンセントユニット１によれば、ねじや工具等を用いることなく、ケース部３に対するコンセント４１の装着、取り替え等を簡単に行うことができる。
【００３６】
次に、ベース部２にケース部３を装着する手順を説明する。コンセントユニット１は、ベース部２に対してケース部３を複数の異なる姿勢で装着することが可能である。より詳しくは、ベース部２に対してケース部３が着脱自在となっており、差込面３２１の向きを予め定められた複数の方向から選択された任意の一方向に向けた状態でケース部３をベース部２に装着することができる。以下、図１０乃至図１２を参照して、差込面３２１が縦向きとなる「縦差し姿勢」と、差込面３２１が横向きとなる「横差し姿勢」とから、択一的に差込面３２１の向きを選択してベース部２にケース部３を装着する態様について説明する。
【００３７】
図１０は、実施形態１に係るケース部３を縦差し姿勢と横差し姿勢に切り替えるための機構を説明する図である。（ａ）は、縦差し姿勢としてケース部３をベース部２に装着する態様を示す図である。（ｂ）は、横差し姿勢としてケース部３をベース部２に装着する態様を示す図である。ここで、便宜上、図１０に示す符号３１ｃをケース部３の「底面」と呼び、符号３１ｄをケース部３の「背面」と呼ぶ。底面３１ｃは、差込面３２１の反対側に位置する面である。
【００３８】
図１０に示すように、ケース部３におけるケース本体３１には、収容凹部３３が設けられている。収容凹部３３は、ケース本体３１における底面３１ｃおよび背面３１ｄが接続されてなるコーナー部に形成された略正四角柱形状の凹部であり、ベース部２のベース側係合部２３をちょうど収容することができる。ここで、収容凹部３３を画定する各面のうち、３３ａを凹部上面、３３ｂを凹部前面、３３ｃを凹部左側面、３３ｄを凹部右側面と呼ぶ。凹部上面３３ａは差込面３２１に対して略平行であり、凹部前面３３ｂは差込面３２１に対して略直交している。また、凹部左側面３３ｃおよび凹部右側面３３ｄは略正方形であり、ベース部２のベース側係合部２３におけるベース左側面２１ｃおよびベース右側面２１ｄと形状および大きさが概ね対応している。また、収容凹部３３における凹部上面３３ａおよび凹部前面３３ｂは、互いに形状および大きさが略等しい長方形として形成されており、ベース側係合部２３におけるベース前面２１ａおよびベース上面２１ｈの双
方と形状および大きさが概ね対応している。
【００３９】
また、ケース部３の収容凹部３３における凹部左側面３３ｃおよび凹部右側面３３ｄには、それぞれ凸条３４が一本ずつ突設されている。凹部左側面３３ｃおよび凹部右側面３３ｄにおける各凸条３４は、ケース部３の差込面３２１および凹部上面３３ａに沿って延伸している。また、凸条３４は、ベース側係合部２３における横差し用ガイド溝２５１および縦差し用ガイド溝２５２に挿入できるように、幅寸法と高さ寸法が調整されている。
【００４０】
さらに、収容凹部３３における凹部左側面３３ｃおよび凹部右側面３３ｄには、半球状を有する係止用凸部３５が突設されている。凹部左側面３３ｃ（凹部右側面３３ｄ）における各係止用凸部３５は、収容凹部３３において凹部左側面３３ｃ（凹部右側面３３ｄ）、凹部上面３３ａ、凹部前面３３ｂが交わる頂点部とその対角部を結ぶ対角線Ｌ２上に配置されている。
【００４１】
以上のように構成されるコンセントユニット１においては、ケース部３をベース部２に装着する際、ケース部３の収容凹部３３とベース部２のベース側係合部２３を係合させる。より詳しくは、差込面３２１の向きを予め定めされた複数の方向から選択される任意の一方向に向けた状態で収容凹部３３にベース側係合部２３を嵌め込み、収容凹部３３にベース側係合部２３を収容することで、ケース部３をベース部２に装着する。
【００４２】
例えば、縦差し姿勢としてケース部３をベース部２に装着する場合、図１０（ａ）、図１１（ａ）、（ｃ）に示すように、ケース部３の差込面３２１を上方に向けた状態で、天板１１０に固定されたベース部２に対して前方から接近させてゆく。そして、収容凹部３３に設けられた凸条３４を、ベース側係合部２３に設けられた縦差し用ガイド溝２５２に挿入することで、ベース部２のベース側係合部２３をケース部３の収容凹部３３に嵌め込むことができる。なお、ケース部３を縦差し姿勢に装着する際、本実施形態では、収容凹部３３の凹部左側面３３ｃに形成された凸条３４をベース側係合部２３のベース左側面２１ｃに形成された縦差し用ガイド溝２５２に挿入させ、凹部右側面３３ｄに形成された凸条３４をベース右側面２１ｄに形成された縦差し用ガイド溝２５２に挿入させる。
【００４３】
本実施形態においては、ケース部３側の凸条３４をベース部２側の縦差し用ガイド溝２５２に挿入する過程で、収容凹部３３の凹部上面３３ａとベース側係合部２３のベース上面２１ｈとが摺動しつつ収容凹部３３にベース側係合部２３が嵌め込まれるように構成されている。これにより、差込面３２１を上方に向けた状態で、ケース部３の収容凹部３３に対してベース部２におけるベース側係合部２３を円滑に嵌め込むことができる。
【００４４】
そして、図１１（ｂ）、（ｄ）に示すように、ベース部２のベース側係合部２３がケース部３の収容凹部３３に完全に収容されると、縦差し姿勢でのケース部３の装着が完了する。これにより、差込面３２１が縦方向に向いた縦差し姿勢でコンセントユニット１を使用することができる。なお、上記のように縦差し姿勢としてケース部３をベース部２に装着する場合、収容凹部３３にベース側係合部２３が嵌め込まれた際に、収容凹部３３の凹部上面３３ａ、凹部前面３３ｂ、凹部左側面３３ｃおよび凹部右側面３３ｄは、それぞれベース側係合部２３のベース上面２１ｈ、ベース前面２１ａ、ベース左側面２１ｃおよびベース右側面２１ｄと対向して配置される。
【００４５】
また、コンセントユニット１は、縦差し用ガイド溝２５２に対する凸条３４の挿入量が所定量に到達した時点で、ベース側係合部２３側の係止用凹部２６と収容凹部３３側の係止用凸部３５が係合するように構成されている。より具体的には、図１１（ｂ）、（ｄ）に示す状態、即ちベース部２のベース側係合部２３がケース部３の収容凹部３３に完全に収容されてベース部２へのケース部３の装着が完了する時点で、ベース側係合部２３の係
止用凹部２６に収容凹部３３の係止用凸部３５が嵌合し、これによって収容凹部３３がベース側係合部２３に係止される。コンセントユニット１は、係止用凸部３５および係止用凹部２６の組み合わせからなる係止手段を備えることにより、縦差し用ガイド溝２５２から不用意に凸条３４が抜け出すことを抑制できる。よって、ベース部２に装着されたケース部３の姿勢を安定して保持することができる。
【００４６】
ところで、コンセントユニット１の使用時においては、コンセント４１の差込口４１ａ〜４１ｃからプラグを引き抜く際に、ケース部３をベース部２から離反させる方向にケース部３に外力が作用する。例えば、ケース部３を縦差し姿勢でベース部２に装着している場合、差込口４１ａ〜４１ｃからプラグを引き抜く際にケース部３を上方に持ち上げる方向に外力が作用する。これに対して、本実施形態に係るコンセントユニット１は、ベース部２にケース部３が縦差し姿勢で装着されている場合に、縦差し用ガイド溝２５２が水平方向に延伸している。これによれば、ケース部３に外力が作用する方向と、ケース部３における凸条３４のスライド方向とを大きく相違させることができる。その結果、コンセント４１の差込口４１ａ〜４１ｃからプラグを引き抜いた際に、不用意にケース部３がベース部２から脱落したり、姿勢が不安定になったりすることを抑制できる。
【００４７】
次に、コンセントユニット１に係るケース部３を縦差し姿勢から横差し姿勢に切り替える手順を説明する。この場合、縦差し姿勢でベース部２に装着されているケース部３を、ベース部２の前方に向かって引っ張ることで、係止用凹部２６と係止用凸部３５との係合を解除すると共に、ベース部２の縦差し用ガイド溝２５２に対してケース部３の凸条３４をスライドさせながら引き抜く。これにより、ケース部３の収容凹部３３に嵌め込まれていたベース部２のベース側係合部２３が収容凹部３３から取り出され、図１１（ａ）、（ｃ）に示すように、ケース部３をベース部２から取り外すことができる。
【００４８】
次に、図１０（ｂ）、図１２（ａ）、（ｃ）に示すように、ケース部３の差込面３２１を横向きにした状態で、天板１１０に固定されたベース部２に対して上方から接近させてゆき、ケース部３の収容凹部３３に設けられた凸条３４をベース部２のベース側係合部２３に設けられた横差し用ガイド溝２５１に挿入し、ベース側係合部２３を収容凹部３３に嵌め込む。その際、前述した縦差し姿勢でケース部３を装着する時とは収容凹部３３の左右を反転させた状態で、収容凹部３３の凸条３４をベース側係合部２３の横差し用ガイド溝２５１に挿入する。
【００４９】
具体的には、収容凹部３３の凹部右側面３３ｄに形成された凸条３４を、ベース側係合部２３のベース左側面２１ｃに形成された横差し用ガイド溝２５１に挿入させ、凹部左側面３３ｃに形成された凸条３４をベース右側面２１ｄに形成された横差し用ガイド溝２５１に挿入させる。このような姿勢で収容凹部３３にベース側係合部２３が嵌め込まれると、収容凹部３３の凹部上面３３ａ、凹部前面３３ｂ、凹部左側面３３ｃ、凹部右側面３３ｄのそれぞれが、ベース側係合部２３のベース前面２１ａ、ベース上面２１ｈ、ベース右側面２１ｄ、ベース左側面２１ｃと対向して配置されるようになる。このように、本実施形態に係るコンセントユニット１においては、収容凹部３３にベース側係合部２３が嵌め込まれた際に互いに対向する収容凹部３３の面とベース側係合部２３の面との組み合わせを変更して収容凹部３３にベース側係合部２３を嵌め込むことができる。言い換えると、収容凹部３３の面とベース側係合部２３の面のうち互いに対向する面同士の組み合わせを、複数の組み合わせから選択して収容凹部３３にベース側係合部２３を嵌め込むことができる。これによって、ベース部２にケース部３を装着する際、差込面３２１の向きを簡単に変更することができる。
【００５０】
なお、本実施形態においては、ケース部３の凸条３４をベース部２の横差し用ガイド溝２５１に挿入する過程で、収容凹部３３の凹部上面３３ａとベース側係合部２３のベース
前面２１ａとが摺動しつつ収容凹部３３にベース側係合部２３が嵌め込まれる。これにより、差込面３２１を横向きにした状態で、ケース部３の収容凹部３３に対してベース部２におけるベース側係合部２３を円滑に嵌め込むことができる。そして、図１２（ｂ）、（ｄ）に示すように、ベース部２のベース側係合部２３がケース部３の収容凹部３３に完全に収容されると、横差し姿勢でのケース部３の装着が完了する。これにより、差込面３２１が横に向いた横差し姿勢でコンセントユニット１を使用することができる。
【００５１】
また、コンセントユニット１は、横差し用ガイド溝２５１に対する凸条３４の挿入量が所定量に到達したときに、ベース側係合部２３側の係止用凹部２６と収容凹部３３側の係止用凸部３５が係合するように構成されている。より具体的には、図１２（ｂ）、（ｄ）に示す状態、即ちベース部２のベース側係合部２３がケース部３の収容凹部３３に完全に収容されてベース部２へのケース部３の装着が完了する時点で、ベース側係合部２３の係止用凹部２６に収容凹部３３の係止用凸部３５が嵌合することで、収容凹部３３がベース側係合部２３に係止される。その結果、横差し用ガイド溝２５１から不用意に凸条３４が抜け出すことが抑制され、ベース部２に装着されたケース部３の姿勢を安定して保持することができる。
【００５２】
なお、本実施形態においては、ベース側係合部２３の係止用凹部２６をベース左側面２１ｃおよびベース右側面２１ｄにおける対角線Ｌ１上に配置し、収容凹部３３の係止用凸部３５を凹部左側面３３ｃおよび凹部右側面３３ｄにおける対角線Ｌ２上に配置している。これによれば、ケース部３の凸条３４を、ベース部２の横差し用ガイド溝２５１と縦差し用ガイド溝２５２のどちらに挿入した時も、共通の係止用凸部３５と係止用凹部２６を用いて収容凹部３３をベース側係合部２３に係止することができる。
【００５３】
また、図１２（ｂ）、（ｄ）に示すように、横差し姿勢でコンセントユニット１を使用している場合、差込口４１ａ〜４１ｃからプラグを引き抜く際に、ケース部３を水平に引っ張る方向へ外力が作用する。これに対して、横差し姿勢でベース部２にケース部３を装着した状態では、凸条３４が挿入された横差し用ガイド溝２５１は、鉛直方向に延伸する姿勢をとっている。これによれば、ケース部３に外力が作用する方向と、ケース部３における凸条３４のスライド方向とを大きく相違させることができる。その結果、コンセント４１の差込口４１ａ〜４１ｃからプラグを引き抜いた際に、不用意にケース部３がベース部２から脱落したり、姿勢が不安定になったりすることを抑制できる。
【００５４】
以上のように、本実施形態に係るコンセントユニット１によれば、ケース部３の収容凹部３３およびベース部２のベース側係合部２３を、差込面３２１の向きを所定の複数の異なる方向から選択される一の方向に向けた状態で係合させることにより、ケース３の差込面３２１の向きを簡単に変更することができる。なお、本実施形態においては、ケース３の収容凹部３３が本発明に係るケース側係合部に相当する。
【００５５】
さらに、本実施形態に係るコンセントユニット１は、ＬＡＮケーブルやＵＳＢケーブル等の情報信号用ケーブル５を保持するためのケーブル保持部を、コンセント４１を収容するコンセント収容部３１１とは別に備えている。図１３は、実施形態１に係るコンセントユニット１のケーブル保持部を説明する図である。図１３（ａ）、（ｂ）、ケース部３を縦差し姿勢でベース部２に装着した状態を示す。図１３（ｃ）、（ｄ）に、ケース部３を横差し姿勢でベース部２に装着した状態を示す。
【００５６】
図示のように、コンセントユニット１は、ケース部３（ケース本体３１）の底面３１ｃに突設された一対の板状の第１ケーブル保持フィン３６ａ，３６ａを有している。第１ケーブル保持フィン３６ａは、ケース部３を縦差し姿勢でベース部２に装着した状態において、コンセントユニット１の外面および天板１１０の上面と協働して情報信号用ケーブル
５を保持するためのケーブル保持部６を区画形成する。本実施形態では、第１ケーブル保持フィン３６ａを、ベース部２の両側に配置しているため、情報信号用ケーブル５を保持する位置の自由度が高く、且つ、保持可能な情報信号用ケーブル５の本数をも十分に確保することができるため、使い勝手がよい。
【００５７】
さらに、コンセントユニット１は、ケース部３（ケース本体３１）の背面３１ｄに突設された一対のフィン状の第２ケーブル保持フィン３６ｂ，３６ｂを有している。第２ケーブル保持フィン３６ｂは、ケース部３を横差し姿勢でベース部２に装着した状態において、コンセントユニット１の外面および天板１１０の上面と共に情報信号用ケーブル５を保持するためのケーブル保持部６を区画形成する。本実施形態では、第２ケーブル保持フィン３６ｂを、ベース部２の両側に配置しているため、情報信号用ケーブル５を保持する位置の自由度が高く、且つ、保持することの可能な情報信号用ケーブル５の本数をも十分に確保することができるため、使い勝手がよい。
【００５８】
以上のように、本実施形態に係るコンセントユニット１によれば、縦差し姿勢と横差し姿勢のいずれにおいても情報信号用ケーブル５を整理して保持することができる。なお、本実施形態では、第１ケーブル保持フィン３６ａおよび第２ケーブル保持フィン３６ｂをそれぞれ一組ずつ設置しているが、これらの設置数は特に限定されない。また、本実施形態においては、フィン状の第１ケーブル保持フィン３６ａおよび第２ケーブル保持フィン３６ｂを、それぞれケース部３と一体に構成しているため、部品点数を少なくすることができるという利点がある。なお、第１ケーブル保持フィン３６ａおよび第２ケーブル保持フィンは、ケース部２におけるケース本体２１と同一材料であってもよいし、異なる材料によって作製されていてもよい。例えば、第１ケーブル保持フィン３６ａおよび第２ケーブル保持フィン３６ｂを、ケース本体２１に比べて軟らかいゴム等の軟質材料を用いて作製してもよいし、ブラシ等の毛材、繊維材料を用いて作製してもよい。このような軟質素材を用いて第１ケーブル保持フィン３６ａおよび第２ケーブル保持フィン３６ｂを作製することで、ベース部２にケース部３を装着した状態であっても、ベース部２からケース部３を取り外すことなく第１ケーブル保持フィン３６ａ又は第２ケーブル保持フィン３６ｂを変形させることで情報信号用ケーブル５を固定できる。
【００５９】
＜実施形態２＞
次に、実施形態２に係るコンセントユニット１を説明する。図１４は、実施形態２に係るコンセントユニット１Ａを説明する図である。実施形態２に係るコンセントユニット１Ａは、ベース部２Ａおよびケース部３Ａを備えている。コンセントユニット１Ａにおけるケース部３Ａは、収容凹部３３の凹部左側面３３ｃおよび凹部右側面３３ｄにそれぞれ設けられる凸条３４Ａの先端がラウンド形状になっている点で、実施形態１と相違している。
【００６０】
また、コンセントユニット１Ａにおけるベース部２Ａは、ガイド溝２５Ａにおける横差し用ガイド溝２５１Ａおよび縦差し用ガイド溝２５２Ａにおける凸条３４の挿入端に、溝幅をテーパ状に拡幅した拡幅部Ｔが設けられている。コンセントユニット１Ａにおける他の構成は、実施形態１に係るコンセントユニット１と共通である。コンセントユニット１Ａにおいては、凸条３４Ａの先端をラウンド形状とすることで、ベース部２Ａにケース部３Ａを装着する際、ガイド溝２５Ａに凸条３４Ａをより円滑に挿入することができる。また、ベース部２Ａに係る横差し用ガイド溝２５１Ａおよび縦差し用ガイド溝２５２Ａの挿入端側に拡幅部Ｔを設けることで、ベース部２Ａにケース部３Ａを装着する際、拡幅部Ｔから凸条３４Ａをより円滑に挿入することができる。
【００６１】
＜実施形態３＞
図１５は、実施形態３に係るコンセントユニット１Ｂを説明する図である。実施形態３
に係るコンセントユニット１Ｂは、ベース部２Ｂおよびケース部３Ｂを備えている。本実施形態に係るケース部３Ａは、収容凹部３３の凹部左側面３３ｃおよび凹部右側面３３ｄに、それぞれ凸条３４Ｂが一対ずつ設けられている。凹部左側面３３ｃおよび凹部右側面３３ｄにそれぞれ設けられる一対の凸条３４Ｂは平行に配置されている。
【００６２】
また、本実施形態に係るベース部２Ａは、ベース側係合部２３のベース左側面２１ｃおよびベース右側面２１ｄにそれぞれ＃形状（井形状）のガイド溝２５Ｂが設けられている。具体的には、ガイド溝２５Ｂは、平行に配置された一対の横差し用ガイド溝２５１Ｂと、これら横差し用ガイド溝２５１Ｂに直交すると共に平行に配置された一対の縦差し用ガイド溝２５２Ｂとを有している。一対の横差し用ガイド溝２５１Ｂ同士の間隔、および一対の縦差し用ガイド溝２５２Ｂは、凹部左側面３３ｃおよび凹部右側面３３ｄにそれぞれ設けられている一対の凸条３４Ｂ同士の間隔と等しい。なお、本実施形態に係るコンセントユニット１Ｂにおいては、ベース側係合部２３の係止用凹部２６および収容凹部３３の係止用凸部３５が設けられていない。以上のように、ベース側係合部２３に設けられるガイド溝と、このガイド溝に挿入される凸条の態様は、種々の態様を採用することができる。
【００６３】
＜実施形態４＞
図１６は、実施形態４に係るコンセントユニット１Ｃを説明する図である。実施形態４に係るコンセントユニット１Ｃは、ベース部２Ｃおよびケース部３Ｃを備えている。本実施形態に係るケース部３Ｃは、収容凹部３３の凹部左側面３３ｃおよび凹部右側面３３ｄに形成される凸条３４Ｃが基端側から先端側に向かって先細り形状になっている。ケース部３Ｃに係る収容凹部３３の凹部左側面３３ｃおよび凹部右側面３３ｄにおいて、凸条３４Ｃに並列して係止爪３６Ｃが設けられている。また、ベース部２Ｃに係るベース側係合部２３のベース左側面２１ｃおよびベース右側面２１ｄには、十字形のガイド溝２５Ｃが設けられている。ガイド溝２５Ｃは、実施形態１と同様、横差し用ガイド溝２５１Ｃおよび縦差し用ガイド溝２５２Ｃを有する。ベース部２Ｃにおける横差し用ガイド溝２５１Ｃおよび縦差し用ガイド溝２５２Ｃは、ケース部２Ｃの形成される凸条３４Ｃと同一形状に形成されており、凸条３４Ｃを挿入することができる。本実施形態においては、凸条３４Ｃが基端側から先端側に向かって先細り形状になっているため、横差し用ガイド溝２５１Ｃや縦差し用ガイド溝２５２Ｃに対して凸条３４Ｃを挿入し易くなるという利点がある。
【００６４】
本実施形態に係るコンセントユニット１Ｃにおいては、ベース部２Ｃにケース部３Ｃを縦差し姿勢で装着する際、ベース部２Ｃの凸条３４Ｃを縦差し用ガイド溝２５２Ｃに挿入する。その際、ベース部２Ｃへのケース部３Ｃの装着が完了する時点で、ベース側係合部２３の横差し用ガイド溝２５１Ｃに収容凹部３３の係止爪３６Ｃが引っ掛かることで、収容凹部３３をベース側係合部２３に係止することができる。一方、ベース部２Ｃにケース部３Ｃを横差し姿勢で装着する際、ベース部２Ｃの凸条３４Ｃを横差し用ガイド溝２５１Ｃに挿入する。その際、ベース部２Ｃへのケース部３Ｃの装着が完了する時点で、ベース側係合部２３の縦差し用ガイド溝２５２Ｃに収容凹部３３の係止爪３６Ｃが引っ掛かることで、収容凹部３３をベース側係合部２３に係止することができる。本実施形態においては、係合する係止爪３６Ｃおよび横差し用ガイド溝２５１Ｃ（縦差し用ガイド溝２５２Ｃ）によって係止手段が構成されている。
【００６５】
＜実施形態５＞
図１７は、実施形態５に係るコンセントユニット１Ｄを説明する図である。実施形態５に係るコンセントユニット１Ｄは、ベース部２Ｄおよびケース部３Ｄを備えている。本実施形態に係るケース部３Ｄは、収容凹部３３の凹部左側面３３ｃおよび凹部右側面３３ｄに凸条３４Ｄが形成されている。凸条３４Ｄは、凹部左側面３３ｃ（凹部右側面３３ｄ）、凹部上面３３ａ、および凹部前面３３ｂが交わる頂点部からその対角部方向に向かって
斜めに延伸している。
【００６６】
一方、ベース部２Ｄにおけるベース側係合部２３のベース左側面２１ｃおよびベース右側面２１ｄには、ベース部２Ｄにケース部３Ｄを装着する際にケース部３Ｄの凸条３４Ｄを挿入するためのガイド溝２５Ｄが形成されている。ガイド溝２５Ｄは、ベース側係合部２３のベース左側面２１（ベース右側面２１ｄ）、ベース前面２１ａ、およびベース上面２１ｈが交わる頂点部からその対角部方向に向かって斜めに延伸している。
【００６７】
コンセントユニット１Ｄにおいて、ベース部２Ｄにケース部３Ｄを縦差し姿勢で装着する場合、ベース部２Ｄにおけるベース左側面２１ｃのガイド溝２５Ｄにケース部３Ｄの凹部左側面３３ｃに設けられている凸条３４Ｄを挿入し、ベース部２Ｄにおけるベース右側面２１ｄのガイド溝２５Ｄにケース部３Ｄの凹部右側面３３ｄに設けられている凸条３４Ｄを挿入する。一方、ベース部２Ｄにケース部３Ｄを横差し姿勢で装着する場合、ベース部２Ｄにおけるベース左側面２１ｃのガイド溝２５Ｄにケース部３Ｄの凹部右側面３３ｄに設けられている凸条３４Ｄを挿入し、ベース部２Ｄにおけるベース右側面２１ｄのガイド溝２５Ｄにケース部３Ｄの凹部左側面３３ｃに設けられている凸条３４Ｄを挿入する。本実施形態に係るコンセントユニット１Ｄにおいては、凸条３４Ｄをガイド溝２５Ｄに挿入する方向が一方向であるため、ベース部２Ｄに対するケース部３Ｄの装着時における操作内容が使用者にとって理解しやすいという利点がある。
【００６８】
＜実施形態６＞
図１８は、実施形態６に係るコンセントユニット１Ｅを説明する図である。実施形態６に係るコンセントユニット１Ｅは、ベース部２Ｅおよびケース部３Ｅを備えている。本実施形態に係るケース部３Ｅは、収容凹部３３の凹部左側面３３ｃおよび凹部右側面３３ｄに凸条３４Ｅが形成されている。本実施形態に係る凸条３４Ｅは、基端側から先端側に向かって先細り形状になっている点を除いて実施形態５に係る凸条３４Ｄと共通している。
【００６９】
一方、ケース部３Ｅにおけるベース側係合部２３のベース左側面２１ｃおよびベース右側面２１ｄには、ベース部２Ｅにケース部３Ｅを装着する際にケース部３Ｅの凸条３４Ｅを挿入するためのガイド溝２５Ｅが形成されている。ガイド溝２５Ｅは、凸条３４Ｅの形状に対応しており、基端側から先端側に向かって先細り形状になっている点を除いて実施形態５に係るガイド溝２５Ｄと共通している。本実施形態のように、ガイド溝２５Ｅおよび凸条３４Ｅの形状を基端側から先端側に向かって先細り形状にすることで、ベース部２Ｅにケース部３Ｅを装着する際にガイド溝２５Ｅに凸条３４Ｅを挿入し易いという利点がある。
【００７０】
＜実施形態７＞
図１９は、実施形態７に係るコンセントユニット１Ｆを説明する図である。実施形態７に係るコンセントユニット１Ｆは、ベース部２Ｆおよびケース部３Ｆを備えている。本実施形態に係るコンセントユニット１Ｆは、ケース部３Ｆおよびベース部２Ｆに凸条およびこれを挿入するガイド溝が設けられていない。また、ベース部２Ｆにおけるベース側係合部２３と、ケース部３Ｆにおける収容凹部３３には、実施形態１で説明した半球状の係止用凹部２６Ｆと半球状の係止用凸部３５Ｆがそれぞれ設けられている。係止用凹部２６Ｆは、ベース側係合部２３におけるベース左側面２１ｃおよびベース右側面２１ｄの略中央部にそれぞれ設けられている。また、係止用凸部３５Ｆは、収容凹部３３における凹部左側面３３ｃおよび凹部右側面３３ｄの略中央部にそれぞれ設けられている。
【００７１】
ベース部２Ｄにケース部３Ｄを縦差し姿勢で装着する場合、収容凹部３３の凹部上面３３ａ、凹部前面３３ｂ、凹部左側面３３ｃ、凹部右側面３３ｄが、それぞれベース側係合部２３のベース上面２１ｈ、ベース前面２１ａ、ベース左側面２１ｃ、ベース右側面２１
ｄと対向するように、ベース側係合部２３を収容凹部３３に嵌め込む。そして、収容凹部３３における凹部左側面３３ｃの係止用凸部３５とベース側係合部２３におけるベース左側面２１ｃの係止用凹部２６とが係合し、収容凹部３３における凹部右側面３３ｄの係止用凸部３５とベース側係合部２３におけるベース右側面２１ｄの係止用凹部２６とが係合することで、ベース部２Ｄに対するケース部３Ｄの縦差し姿勢での装着が完了する。
【００７２】
一方、ケース部３Ｄを横差し姿勢で装着する場合、収容凹部３３の凹部上面３３ａ、凹部前面３３ｂ、凹部左側面３３ｃ、凹部右側面３３ｄが、それぞれベース側係合部２３のベース前面２１ａ、ベース上面２１ｈ、ベース右側面２１ｄ、ベース左側面２１ｃと対向するように、ベース側係合部２３を収容凹部３３に嵌め込む。そして、収容凹部３３における凹部右側面３３ｄの係止用凸部３５とベース側係合部２３におけるベース左側面２１ｃの係止用凹部２６とが係合し、収容凹部３３における凹部左側面３３ｃの係止用凸部３５とベース側係合部２３におけるベース右側面２１ｄの係止用凹部２６とが係合することで、ベース部２Ｄに対するケース部３Ｄの横差し姿勢での装着が完了する。
【００７３】
＜実施形態８＞
図２０は、実施形態８に係るケース部３Ｇを説明する図である。実施形態８に係るケース部３Ｇは、情報信号用ケーブルを保持するケーブル保持部の構成が実施形態１と相違している。ケース部３Ｇは、ケース本体３１に形成される差込穴３７に着脱自在なケーブル保持用差込片３６Ｇを備えている。差込穴３７は、ケース本体３１における収容凹部３３の両側に配置されており、底面３１ｃおよび背面３１ｄの双方に跨って開口している。ケーブル保持用差込片３６Ｇは、差込穴３７に装着した際に差込穴３７内に埋没する埋没部６１と、外部に露出する衝立部６２とを有している。図２０（ａ）に示すように、ケーブル保持用差込片３６Ｇは、差込穴３７に対して着脱自在であり、ケース本体３１の底面３１ｃから衝立部６２を突出させる姿勢と、ケース本体３１の背面３１ｄから衝立部６２を突出させる姿勢とを選択して差込穴３７に装着することができる。また、ケーブル保持用差込片３６Ｇの埋没部６１には、差込穴３７から埋没部６１が不用意に抜け出すことを抑制するための突起６３が設けられている。但し、埋没部６１における突起６３を省略してもよい。
【００７４】
ここで、図２０（ｂ）は、ケース部３Ｇを縦差し姿勢で使用する場合のケーブル保持用差込片３６Ｇの装着状態を示す図である。図２０（ｃ）は、ケース部３Ｇを横差し姿勢で使用する場合のケーブル保持用差込片３６Ｇの装着状態を示す図である。ケース部３Ｇを縦差し姿勢でベース部２Ｇに装着する場合には、図２０（ｂ）に示すようにケース本体３１の底面３１ｃから衝立部６２を突出させ、ケース部３Ｇを横差し姿勢でベース部２Ｇに装着する際には、図２０（ｃ）に示すようにケース本体３１の背面３１ｄから衝立部６２を突出させることで、コンセントユニット１の外面、天板１１０の上面、および衝立部６２によって形成されるケーブル保持部によって情報信号用ケーブルを保持することができる。また、本実施形態においては、ケース部３Ｇをベース部２Ｇに装着した状態でケーブル保持用差込片３６Ｇをケース部３に対して着脱することができる。これによれば、ケース部３Ｇをベース部２Ｇに装着した後に、ケース部３Ｇをベース部２Ｇに装着した状態で情報信号用ケーブルをコンセントユニット１Ｇに保持、固定することができる。
【００７５】
＜実施形態９＞
図２１は、実施形態９に係るコンセントユニット１Ｈを説明する図である。実施形態９に係るコンセントユニット１Ｈは、ベース部２Ｈおよびケース部３Ｈを備えている。実施形態９に係るコンセントユニット１Ｈは、ベース部２Ｈにおけるベース側係合部２３の下面から板状のケーブル保持フィン２７が下方に向けて立設している。本実施形態に係るコンセントユニット１Ｈによれば、ベース部２Ｈに装着されるケース部３Ｈの姿勢に関わらず、ベース側係合部２３の下面から天板１１０に向けて突出するケーブル保持フィン２７
の内側に形成されるケーブル保持部６Ｈに情報信号用ケーブルを保持することができる。なお、ベース部２Ｈにケース部３Ｈを装着した後にケーブル保持部６Ｈに情報信号用ケーブルを保持する場合、ベース部２Ｈを天板１１０から一旦取り外し、ケーブル保持部６Ｈに情報信号用ケーブルを保持した後、再びベース部２Ｈを天板１１０に固定するとよい。本実施形態に係るコンセントユニット１Ｈによれば、ケース部３Ｈ側にケーブル保持部を設置する必要がないため、ケース部３Ｈの外観をすっきりさせることができる。
【００７６】
＜実施形態１０＞
図２２は、実施形態１０に係るコンセントユニット１Ｉを説明する図である。実施形態１０に係るコンセントユニット１Ｉは、ベース部２Ｉおよびケース部３Ｉを備えている。図２２（ａ）は、横差し姿勢としてケース部３Ｉをベース部２Ｉに装着したコンセントユニット１Ｉを差込面３２１側から眺めた図である。図２２（ｂ）は、横差し姿勢としてケース部３Ｉをベース部２Ｉに装着したコンセントユニット１Ｉを底面３１ｃ側から眺めた図である。図２２（ｃ）は、縦差し姿勢としてケース部３Ｉをベース部２Ｉに装着したコンセントユニット１Ｉを背面３１ｄ側から眺めた図である。
【００７７】
本実施形態において、ケース部３Ｉの底面３１ｃには略半楕円形状の窪み部３１ｅが形成されている。窪み部３１ｅは、底面３１ｃのうち、当該底面３１ｃと背面３１ｄとの間の縁部に面して配置されている。ケース部３Ｉにおける窪み部３１ｅには、Ｕ字形状を有するケーブル保持クリップ３８が回動自在に軸着されている。ケーブル保持クリップ３８は、当該ケーブル保持クリップ３８が窪み部３１ｅに収容される第１姿勢と、この第１姿勢からケーブル保持クリップ３８を反転させた第２姿勢の範囲で、その回転が許容されている。また、ケーブル保持クリップ３８は、第１姿勢から略９０°回転させた姿勢で保持することが可能となっている。ケーブル保持クリップ３８の内側には、情報信号用ケーブルを挿通させることで保持するケーブル保持部６Ｉが形成されている。
【００７８】
図２２（ａ）、（ｂ）に示すように、横差し姿勢としてケース部３Ｉをベース部２Ｉに装着する場合、ケーブル保持クリップ３８を第１姿勢又は第３姿勢から第２姿勢に変更し、ケーブル保持部６Ｉに情報信号用ケーブルを保持することができる。また、図２２（ｃ）に示す縦差し姿勢としてケース部３Ｉをベース部２Ｉに装着する場合、ケーブル保持クリップ３８を第１姿勢又は第２姿勢から第３姿勢に変更し、ケーブル保持部６Ｉに情報信号用ケーブルを保持することができる。また、ケーブル保持部６Ｉに情報信号用ケーブルを保持する必要がない場合、ケーブル保持クリップ３８を第１姿勢に保持し、窪み部３１ｅに収納しておくことができる。ここで、本実施形態においては、窪み部３１ｅの深さ寸法を、ケーブル保持クリップ３８の厚さ以上の寸法にしている。これにより、ケーブル保持クリップ３８を第１姿勢にした際に、窪み部３１ｅから出っ張ることなくケーブル保持クリップ３８を収納できる。
【００７９】
＜実施形態１１＞
図２３は、実施形態１１に係るコンセントユニット１Ｊを説明する図である。実施形態１１に係るコンセントユニット１Ｊは、ベース部２Ｊおよびケース部３Ｊを備えている。図２３（ａ）は、ベース部２Ｊに対してケース部３Ｊを取り外した状態を示す図である。図２３（ｂ）は、ケース部３Ｊを縦差し姿勢でベース部２Ｊに装着した状態を示す図である。図２３（ｃ）は、ケース部３Ｊを横差し姿勢でベース部２Ｊに装着した状態を示す図である。ケース部３Ｊは、上述までの実施形態と同様、ケース本体３１内にはコンセント収容部が形成されており、コンセントが収納されている。は、コンセントカバー３２が嵌め合わされており、その差込面３２１に形成された開口窓３２３を通じてコンセントの差込口等が外部に露出している。
【００８０】
ベース部２Ｊにおけるベース本体２１における一組の対向面には、凹部である第１ベー
ス側係合部２３Ｊ−１および第２ベース側係合部２３Ｊ−２がそれぞれ形成されている。なお、図２３において、実施形態１に係るコンセントユニット１と共通する基本構成、例えばベース部２Ｊを天板１１０に固定するためのクランプ等の図示は適宜割愛している。
【００８１】
一方、ケース部３Ｊにおけるケース本体２１には、図示しないコンセントが収納のされており、差込面３２１の開口窓３２３からコンセントの各差込口が外部に露出している。ケース本体２１には、第１ベース側係合部２３Ｊ−１又は第２ベース側係合部２３Ｊ−２の何れかに択一的に嵌合可能なケース側係合部３３０が一体に設けられている。
【００８２】
実施形態１１に係るコンセントユニット１Ｊは、ケース部３Ｊをベース部２Ｊに装着する際、ケース側係合部３３０を第１ベース側係合部２３Ｊ−１に嵌め込む時と、ケース側係合部３３０を第２ベース側係合部２３Ｊ−２に嵌め込む時とで、差込面３２１の向きを互いに異なる方向に向けることができる。本実施形態においては、ケース側係合部３３０を第１ベース側係合部２３Ｊ−１に嵌め込んだ場合に、図２３（ｂ）に示すように縦差し姿勢としてケース部３Ｊを装着することができる。一方、ケース側係合部３３０を第２ベース側係合部２３Ｊ−２に嵌め込んだ場合に、図２３（ｃ）に示すように横差し姿勢としてケース部３Ｊを装着することができる。
【００８３】
＜実施形態１２＞
図２４は、実施形態１２に係るコンセントユニット１Ｋを説明する図である。実施形態１２に係るコンセントユニット１Ｋは、ベース部２Ｋおよびケース部３Ｋを備えている。図２４（ａ）は、ベース部２Ｋに対してケース部３Ｋを取り外した状態を示す図である。図２４（ｂ）は、ケース部３Ｋをベース部２Ｋに装着した状態の外観図である。図２４（ｃ）は、ケース部３Ｋをベース部２Ｋに装着した状態の透視図である。
【００８４】
ケース部３Ｋにおける収容凹部３３は、凹部上面３３ａが正方形となっている。また、収容凹部３３における凹部左側面３３ｃおよび凹部右側面３３ｄには、図１７で説明した凸条３４Ｄと同様な凸条３４Ｋが斜めに設けられている。即ち、凸条３４Ｋは、凹部左側面３３ｃ（凹部右側面３３ｄ）、凹部上面３３ａ、および凹部前面３３ｂが交わる頂点部からその対角部方向に向かって斜めに延伸している。
【００８５】
一方、ベース部２Ｋにおけるベース側係合部２３は、ベース上面２１ｈが上述した凹部上面３３ａと大きさが等しい正方形となっており、ベース前面２１ａ、ベース後面２１ｂ、ベース左側面２１ｃ、ベース右側面２１ｄの各々には、第１ガイド溝２５１Ｋおよび第２ガイド溝２５２Ｋが直交するように形成されている。ベース側係合部２３は、ケース部３Ｋにおける収容凹部３３に嵌め込むことができる。そして、各面における第１ガイド溝２５１Ｋおよび第２ガイド溝２５２Ｋは、ケース部３Ｋの収容凹部３３に形成されている凸条３４Ｋを挿入することができる。
【００８６】
コンセントユニット１Ｋは、収容凹部３３にベース側係合部２３が嵌め込まれた際に互いに対向する収容凹部３３の面とベース側係合部２３の面との組み合わせを変更して、収容凹部３３にベース側係合部２３を嵌め込むことが可能であり、当該対向する面同士の組み合わせが変更されることでケース部３Ｋに係る差込面３２１の向きを変更できる。例えば、収容凹部３３における凹部左側面３３ｃの凸条３４Ｋをベース左側面２１ｃ（又はベース前面２１ａ）の第１ガイド溝２５１Ｋに挿入し、収容凹部３３における凹部右側面３３ｄの凸条３４Ｋをベース右側面２１ｄ（又はベース後面２１ｂ）の第１ガイド溝２５１Ｋに挿入することで、ベース部２Ｋにケース部３Ｋを縦差し姿勢として装着することができる。また、収容凹部３３における凹部右側面３３ｄの凸条３４Ｋをベース左側面２１ｃ（又はベース前面２１ａ）の第２ガイド溝２５２Ｋに挿入し、収容凹部３３における凹部左側面３３ｃの凸条３４Ｋをベース右側面２１ｄ（又はベース後面２１ｂ）の第２ガイド
溝２５２Ｋに挿入することで、ベース部２Ｋにケース部３Ｋを縦差し姿勢として装着することができる。
【００８７】
一方、収容凹部３３における凹部左側面３３ｃの凸条３４Ｋをベース左側面２１ｃ（又はベース前面２１ａ）の第２ガイド溝２５２Ｋに挿入し、収容凹部３３における凹部右側面３３ｄの凸条３４Ｋをベース右側面２１ｄ（又はベース後面２１ｂ）の第２ガイド溝２５２Ｋに挿入することで、ベース部２Ｋにケース部３Ｋを横差し姿勢として装着することができる。また、収容凹部３３における凹部右側面３３ｄの凸条３４Ｋをベース左側面２１ｃ（又はベース前面２１ａ）の第１ガイド溝２５１Ｋに挿入し、収容凹部３３における凹部左側面３３ｃの凸条３４Ｋをベース右側面２１ｄ（又はベース後面２１ｂ）の第１ガイド溝２５１Ｋに挿入することで、ベース部２Ｋにケース部３Ｋを縦差し姿勢として装着することができる。
【００８８】
以上のように、コンセントユニット１Ｋによれば、収容凹部３３およびベース側係合部２３が嵌め合わされた際に互いに対向する面同士の組み合わせを変更してベース部２Ｋにケース部３Ｋを装着することができ、これによって、ベース部２Ｋに装着されたケース部３Ｋの差込面３２１の向きを簡単に変更することができる。
【００８９】
＜実施形態１３＞
図２５は、実施形態１３に係るコンセントユニット１Ｌを説明する図である。実施形態１３に係るコンセントユニット１Ｌは、ベース部２Ｌおよびケース部３Ｌを備えている。（ａ）に示すように、ベース部２Ｌは、略半円柱形状のベース側係合部２３Ｌを有している。ベース側係合部２３Ｌは、略半円形状を有する一対の側面２３ａと、半円周面２３ｂを有する。一対の側面２３ａの各々には、ガイド溝２５Ｌ、第１係止用凹部２６ａ、第２係止用凹部２６ｂ、第３係止用凹部２６ｃが設けられている。ガイド溝２５Ｌは、一定の幅を有する長溝であり、側面２３ａの径方向に延伸している。また、第１係止用凹部２６ａ、第２係止用凹部２６ｂ、第３係止用凹部２６ｃは、互いに直径が等しい円形の凹部である。なお、図２５中においては、ケース部３Ｌの差込面３２１における差込口の図示を省略している。
【００９０】
一方、ケース部３Ｌは、ベース側係合部２３Ｌを収容可能な略半円柱形状の収容凹部３３Ｌを有する。収容凹部３３Ｌは、略半円形状を有する一対の凹部側面３３１と、半円周面を有している。一対の凹部側面３３１には、ガイド溝２５に挿入可能な円形の凸部（以下、「回転軸凸部」という）３３２が設けられている。回転軸凸部３３２の直径は、ガイド溝２５Ｌの幅と等しいか、ガイド溝２５Ｌの幅よりも僅かに小さい。また、回転軸凸部３３２は、一対の凹部側面３３１における幅方向中央の下部寄りの位置に配置されている。さらに、収容凹部３３Ｌにおける一対の凹部側面３３１には、回転軸凸部３３２よりも直径が小さい円形の係止用凸部３３３が設けられている。係止用凸部３３３は、ベース側係合部２３Ｌに設けられている第１係止用凹部２６ａ、第２係止用凹部２６ｂ、第３係止用凹部２６ｃに対して択一的に嵌合可能である。また、係止用凸部３３３は、一対の凹部側面３３１における幅方向中央の上部寄りの位置、即ち凹部側面３３１上における回転軸凸部３３３の真上に配置されている。
【００９１】
図２５（ｂ）に、ベース部２Ｌに対してケース部３Ｌを装着した直後の状態を示す。ベース部２Ｌに対してケース部３Ｌを装着する際、ケース部３Ｌにおける一対の凹部側面３３１に設けられた回転軸凸部３３２および係止用凸部３３３を、ベース部２Ｌにおける一対の側面２３ａに設けられたガイド溝２５Ｌに挿入しつつ、収容凹部３３Ｌにベース側係合部２３Ｌを嵌め込む。図２５（ｂ）に示すように、回転軸凸部３３２がガイド溝２５Ｌの根元側に位置する基端まで到達した時点で、ベース部２Ｌに対するケース部３Ｌの装着が完了する。なお、本実施形態に係るコンセントユニット１Ｌは、ベース部２Ｌにおける
差込面３２１の向きを任意の方向に向けた状態で、ケース部３Ｌにおける係止用凸部３３３をベース部２Ｌのガイド溝２５Ｌに挿入し、ベース部２Ｌにケース部３Ｌを装着することができる。
【００９２】
ここで、図２５（ｃ）は、ケース部３Ｌを縦差し姿勢とした状態を示す図である。図２５（ｄ）は、ケース部３Ｌを斜め差し姿勢とした状態を示す図である。図２５（ｅ）は、ケース部３Ｌを横差し姿勢とした状態を示す図である。図２５（ｂ）に示す状態から、回転軸凸部３３２を中心としてベース部２Ｌに対してケース部３Ｌを相対回転させることにより、縦差し姿勢、斜め差し姿勢、横差し姿勢と、ケース部３Ｌの姿勢（ケース部３Ｌにおける差込口３２１の向き）を所望の向きに変更することができる。
【００９３】
本実施形態においては、図２５（ｂ）に示す状態から、回転軸凸部３３２を中心にベース部２Ｌに対してケース部３Ｌを４５°相対回転させることで、ケース部３Ｌの係止用凸部３３３がベース部２Ｌの第１係止用凹部２６ａに嵌合する。本実施形態では、ケース部３Ｌの係止用凸部３３３がベース部２Ｌの第１係止用凹部２６ａに嵌合する時点で、ケース部３Ｌの姿勢が図２５（ｃ）に示す縦差し姿勢となるように調整されており、これによって、ケース部３Ｌを縦差し姿勢に保持することができる。
【００９４】
また、図２５（ｃ）に示す縦差し姿勢から更に４５°ケース部３Ｌを相対回転させると、ケース部３Ｌの係止用凸部３３３がベース部２Ｌの第２係止用凹部２６ｂに嵌合し、図２５（ｄ）に示す斜め差し姿勢にケース部３Ｌが保持される。また、図２５（ｄ）に示す斜め差し姿勢から更に４５°ケース部３Ｌを相対回転させると、ケース部３Ｌの係止用凸部３３３がベース部２Ｌの第３係止用凹部２６ｃに嵌合し、図２５（ｂ）に示す横差し姿勢にケース部３Ｌを保持することができる。
【００９５】
＜他の実施形態＞
以上述べた実施形態は、本発明の要旨を逸脱しない範囲において種々の変更を加えることができる。例えば、ＬＡＮケーブルやＵＳＢケーブル等の情報信号用ケーブルを保持するケーブル保持部を、ケース部におけるコンセントの差込面が単一の方向に固定される態様のコンセントユニットに適用してもよい。そのような態様として、差込口を有するコンセントを内部に収納するコンセント収納部を有し、かつ、この差込口を外部に露出させるための開口部が形成された差込面を有するケース部と、ケース部を被取付物に固定する固定具と、ケース部のコンセント収納部とは別に設けられると共に所定のケーブルを保持するケーブル保持部と、を備えるコンセントユニットが一例として挙げられる。
【００９６】
図２６Ａ〜図２６Ｄは、他の実施形態に係るコンセントユニットを示す図である。前述までの実施形態と同様の構成要素については同一の符号を付している。図２６Ａに示す変形例１に係るコンセントユニット１Ｍは、ケース部３Ｍを備えている。ケース部３Ｍは、図示しない固定具によって被取付物であるデスクの天板１１０に固定されている。ケース部３Ｍに係るケース本体３１内にはコンセント収容部が形成されており、上述までの実施形態と同様に、コンセントがコンセント収容部に収容されている。また、ケース本体３１にはコンセントカバー３２が嵌め合わされており、その差込面３２１に形成された開口窓３２３を通じてコンセントの差込口やスイッチ等が外部に露出している。
【００９７】
ケース部３Ｍに係るケース本体３１の両端底部には、天板１１０との間に情報信号用ケーブル５を保持するためのケーブル保持部６Ｍが形成されるように凹部が形成されている。そして、ケース本体３１の両端底部に形成される凹部には、ヒンジを介して板状のケーブル保持フィン３６Ｍが回動自在に取り付けられている。図２６Ａにおいては、（ａ）に、ケーブル保持フィン３６Ｍが開放姿勢に保持されている状態を示し、（ｂ）に、ケーブル保持フィン３６Ｍが閉鎖姿勢に保持されている状態を示す。開放姿勢は、ケーブル保持
フィン３６Ｍがケース本体３１の底面に沿って配置された姿勢であり、ケーブル保持フィン３６Ｍが開放姿勢の時にケーブル保持部６Ｍが開放される。一方、閉鎖姿勢は、ケーブル保持フィン３６Ｍがケース本体３１の底面に対して略垂直に立って配置される姿勢であり、ケーブル保持フィン３６Ｍが閉鎖姿勢の時にケーブル保持フィン３６Ｍが閉鎖される。
【００９８】
コンセントユニット１Ｍの使用例として、例えば、天板１１０に配置された図示しないパーソナルコンピュータに情報信号用ケーブル５を接続する場合、ケーブル保持フィン３６Ｍを開放姿勢に保持した状態（図２６Ａ（ａ）を参照）で情報信号用ケーブル５をケーブル保持部６Ｍに配置した後、図２６Ａ（ｂ）に示すようにケーブル保持フィン３６Ｍを開放姿勢から閉鎖姿勢に変更することで、情報信号用ケーブル５をケーブル保持部６Ｍに保持、固定することができる。なお、本変形例においては、ケース本体３１の両端底部に形成された凹部にケーブル保持フィン３６Ｍを回動自在に取り付け、その姿勢を変更可能としているが、例えばケース本体３１に対してケーブル保持フィン３６Ｍを一体とし、閉鎖姿勢のみをとり得る態様としてもよい。この場合、コンセントユニット１Ｍを一旦天板１１０から取り外し、情報信号用ケーブル５がケーブル保持フィン３６Ｍに固定されるようにしてコンセントユニット１Ｍを天板１１０に固定するとよい。勿論、ケーブル保持フィン３６Ｍを軟質材等によって形成してもよく、この場合には、コンセントユニット１Ｍを天板１１０に固定した状態で情報信号用ケーブル５をケーブル保持部６Ｍに固定することができる。
【００９９】
次に、図２６Ｂに示す変形例２に係るコンセントユニット１Ｎについて説明する。コンセントユニット１Ｎは、ケース部３Ｎを備えている。ケース部３Ｎは、図示しない固定具によって被取付物であるデスクの天板１１０に固定されている。ケース部３Ｍに係るケース本体３１内にはコンセント収容部が形成されており、上述までの実施形態と同様に、コンセントがコンセント収容部に収容されている。また、ケース本体３１にはコンセントカバー３２が嵌め合わされており、その差込面３２１に形成された開口窓３２３を通じてコンセントの差込口やスイッチ等が外部に露出している。
【０１００】
ケース部３Ｎに係るコンセントカバー３２の一端側には開口部３２４が設けられており、この開口部３２４に、情報信号用ケーブル５を保持するためのケーブル保持体３２５が着脱自在に設けられている。（ａ）に、コンセントカバー３２の開口部３２４からケーブル保持体３２５を取り外した状態を示す。（ｂ）に、コンセントカバー３２の開口部３２４にケーブル保持体３２５を装着した状態を示す。ケーブル保持体３２５は、情報信号用ケーブル５を挿通させるためのリング状のケーブル保持部６Ｎを有しており、このケーブル保持部６Ｎに情報信号用ケーブル５を保持することが可能である。
【０１０１】
次に、図２６Ｃに示す変形例３に係るコンセントユニット１Ｏについて説明する。コンセントユニット１Ｏは、ケース部３Ｏを備えている。ケース部３Ｏは、図示しない固定具によって被取付物であるデスクの天板１１０に固定されており、ケース本体３１に着脱自在なサイドカバー３９を有している。本変形例に係るコンセントユニット１Ｏは、ケース部３Ｏに係るケース本体３１にサイドカバー３９を装着した際に、ケース本体３１およびサイドカバー３９の間に情報信号用ケーブル５を保持する空間としてケーブル保持部６Ｏが形成されるように構成されている。（ａ）に、ケース本体３１からサイドカバー３９を取り外した状態を示す。（ｂ）に、ケース本体３１にサイドカバー３９を装着した状態を示す。本変形例に係るコンセントユニット１Ｏにおいては、（ａ）に示すようにケース本体３１からサイドカバー３９を取り外し、外部に開放されたケーブル保持部６Ｏに情報信号用ケーブル５を配置した後、（ｂ）に示すようにサイドカバー３９を再びケース本体３１に装着することで、情報信号用ケーブル５をケーブル保持部６Ｏに保持することができる。
【０１０２】
次に、図２６Ｄに示す変形例４に係るコンセントユニット１Ｐについて説明する。コンセントユニット１Ｐは、ケース部３Ｐおよびベース部２Ｐを備えている。ベース部２Ｐの上部およびケース部３Ｐの底部にはそれぞれ凹部２００，３００が形成されている。ケース部３Ｐはベース部２Ｐに装着可能であり、ベース部２Ｐにケース部３Ｐが装着された状態で双方の凹部２００および凹部３００が組み合わさることで情報信号用ケーブル５を保持する空間としてケーブル保持部６Ｐが形成されるようになっている。（ａ）に、ベース部２Ｐからケース部３Ｐを取り外した状態を示す。（ｂ）に、ベース部２Ｐにケース部３Ｐを装着した状態を示す。
【０１０３】
本変形例に係るコンセントユニット１Ｐにおいて、ケーブル保持部６Ｐに情報信号用ケーブル５を保持する際にはベース部２Ｐから一旦ケース部３Ｐを取り外し、（ａ）に示すようにベース部２Ｐの凹部２００に情報信号用ケーブル５を配置した後、（ｂ）に示すようにケース部３Ｐを再びベース部２Ｐに装着する。その結果、情報信号用ケーブル５をケーブル保持部６Ｐに保持することができる。
【０１０４】
以上述べた実施形態は、本発明の要旨を逸脱しない範囲において種々の変更を加えることができる。また、上述の実施形態および変形例は、可能な限りこれらを組み合わせて実施することができる。また、上述までの実施形態および変形例では、コンセントユニットをデスク１００に取り付ける例を説明したがその他の什器に取り付けてもよく、コンセントユニットを適用する被取付物は特段限定されない。
【符号の説明】
【０１０５】
１・・・コンセントユニット
２・・・ベース部
３・・・ケース部
４・・・ケーブルタップ
２１・・・ベース本体
２２・・・クランプ
３１・・・ケース本体
３２・・・コンセントカバー
４１・・・コンセント
４２・・・ケーブル
【図１】
2019016606.tif 000003
【図２】
2019016606.tif 000004
【図３】
2019016606.tif 000005
【図４】
2019016606.tif 000006
【図５】
2019016606.tif 000007
【図６】
2019016606.tif 000008
【図７】
2019016606.tif 000009
【図８】
2019016606.tif 000010
【図９】
2019016606.tif 000011
【図１０】
2019016606.tif 000012
【図１１】
2019016606.tif 000013
【図１２】
2019016606.tif 000014
【図１３】
2019016606.tif 000015
【図１４】
2019016606.tif 000016
【図１５】
2019016606.tif 000017
【図１６】
2019016606.tif 000018
【図１７】
2019016606.tif 000019
【図１８】
2019016606.tif 000020
【図１９】
2019016606.tif 000021
【図２０】
2019016606.tif 000022
【図２１】
2019016606.tif 000023
【図２２】
2019016606.tif 000024
【図２３】
2019016606.tif 000025
【図２４】
2019016606.tif 000026
【図２５】
2019016606.tif 000027
【図２６Ａ】
2019016606.tif 000028
【図２６Ｂ】
2019016606.tif 000029
【図２６Ｃ】
2019016606.tif 000030
【図２６Ｄ】
2019016606.tif 000031
【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
差込口を有するコンセントを内部に収容するためのケース部であって、前記差込口を外部に露出させるための開口部が形成された差込面を有するケース部と、
被取付物に固定される固定具を有し、前記ケース部を着脱自在に装着するベース部と、
を備え、
前記ケース部は、前記ベース部への装着時に当該ベース部に形成されたベース側係合部と係合するケース側係合部を有し、
前記ケース側係合部および前記ベース側係合部は、前記差込面の向きを所定の第１方向と当該第１方向と異なる第２方向の何れかに向けた状態で係合可能であり、
前記ケース側係合部は、前記ベース側係合部が嵌め込まれることで当該ベース側係合部を収容可能であって且つ前記ケース部における２つの面が接続されてなるコーナー部に面して形成される収容凹部であり、
前記ケース側係合部は、当該ケース側係合部に前記ベース側係合部が嵌め込まれた際に互いに対向するケース側係合部の面とベース側係合部の面との組み合わせを変更して、前記ベース側係合部を嵌め込むことが可能であり、前記ベース部に前記ケース部が装着される際に前記互いに対向するケース側係合部の面とベース側係合部の面との組み合わせが変更されることで前記差込面の向きが前記第１方向から前記第２方向に変更される
コンセントユニット。
【請求項２】
前記ケース側係合部および前記ベース側係合部の一方には、他方に突設された凸条を挿入可能なガイド溝が形成されている
請求項１に記載のコンセントユニット。
【請求項３】
前記ガイド溝は、前記差込面が前記第１方向を向いた状態で前記収容凹部に前記ベース側係合部が嵌め込まれる際に前記凸条を挿入可能な第１ガイド溝と、前記差込面が前記第２方向を向いた状態で前記収容凹部に前記ベース側係合部が嵌め込まれる際に前記凸条を挿入可能な第２ガイド溝と、を含み、
前記第１ガイド溝は、前記差込面が前記第１方向を向いた状態で前記収容凹部に前記ベース側係合部が嵌め込まれる際における当該差込面の延在方向に沿って延伸し、
前記第２ガイド溝は、前記差込面が前記第２方向を向いた状態で前記収容凹部に前記ベース側係合部が嵌め込まれる際における当該差込面の延在方向に沿って延伸している
請求項２に記載のコンセントユニット。
【請求項４】
前記ケース部を前記ベース部に装着する際に、前記ケース側係合部を前記ベース側係合部に係止する係止手段をさらに備える
請求項１から３の何れか一項に記載のコンセントユニット。